(57)【要約】  本開示は、ディスプレイのピクセルを駆動するための、コンピュータ記憶媒体上で符号化されたコンピュータプログラムを含む、システム、方法および装置を提供する。一態様では、コモンドライバは、異なるライン時間でディスプレイ要素のアレイ中の異なるディスプレイ要素にデータを書き込むように構成され得る。異なるライン時間を使用することによって、ディスプレイのリフレッシュ速度を増加することができ、書込み波形へのディスプレイ要素の応答を改善することができる。
2014510951.tif 000002
【特許請求の範囲】
【請求項１】
ディスプレイ要素のアレイに接続された複数のコモンラインと複数のセグメントラインとを含むディスプレイを駆動するためのシステムであって、
前記複数のコモンラインを駆動して、第１のライン時間でディスプレイ要素の第１のセットにデータを書き込むことと、第２のライン時間でディスプレイ要素の第２のセットにデータを書き込むこととを行うように構成されたコモンドライバを備え、前記第１のライン時間は前記第２のライン時間とは異なる、システム。
【請求項２】
ディスプレイ要素の前記第１のセットは前記アレイの第１の行にアレイされ、ディスプレイ要素の前記第２のセットは前記アレイの第２の行にアレイされる、請求項１に記載のシステム。
【請求項３】
前記コモンドライバは第３のライン時間でディスプレイ要素の第３のセットを駆動するように構成され、前記第３のライン時間は前記第１のライン時間および前記第２のライン時間とは異なる、請求項１に記載のシステム。
【請求項４】
ディスプレイ要素の前記第１のセット、ディスプレイ要素の前記第２のセットおよびディスプレイ要素の前記第３のセットは異なるカラーサブピクセルに対応する、請求項３に記載のシステム。
【請求項５】
ディスプレイ要素の前記第１のセットは赤色のサブピクセルに対応し、ディスプレイ要素の前記第２のセットは緑色のサブピクセルに対応し、ディスプレイ要素の前記第３のセットは青色のサブピクセルに対応する、請求項４に記載のシステム。
【請求項６】
前記第２のライン時間は前記第１のライン時間および前記第３のライン時間よりも大きく、前記第１のライン時間は前記第３のライン時間よりも大きい、請求項５に記載のシステム。
【請求項７】
前記第１のライン時間および前記第２のライン時間はフロントポーチとバックポーチと書込みパルス時間とを含み、前記第２のライン時間は前記フロントポーチと前記バックポーチと前記書込みパルス時間のうちの少なくとも１つにおいて前記第１のライン時間とは異なる、請求項１に記載のシステム。
【請求項８】
前記第１のライン時間および前記第２のライン時間は、前記ディスプレイ要素の色に基づいて決定される、請求項１に記載のシステム。
【請求項９】
ディスプレイと、
前記ディスプレイと通信するように構成され、画像データを処理するように構成されたプロセッサと、
前記プロセッサと通信するように構成されたメモリデバイスとをさらに備える、請求項１に記載のシステム。
【請求項１０】
前記ディスプレイに少なくとも１つの信号を送るように構成されたドライバ回路をさらに備える、請求項１に記載のシステム。
【請求項１１】
前記ドライバ回路に前記画像データの少なくとも一部分を送るように構成されたコントローラをさらに備える、請求項１０に記載のシステム。
【請求項１２】
前記プロセッサに前記画像データを送るように構成された画像ソースモジュールをさらに備える、請求項１に記載のシステム。
【請求項１３】
前記画像ソースモジュールは、受信機、トランシーバ、および送信機のうちの少なくとも１つを含む、請求項１２に記載のシステム。
【請求項１４】
入力データを受信することと、前記プロセッサに前記入力データを通信することとを行うように構成された入力デバイスをさらに備える、請求項１に記載のシステム。
【請求項１５】
ディスプレイ要素のアレイに接続された複数のコモンラインと複数のセグメントラインとを含むディスプレイにデータを書き込む方法であって、
第１のライン時間で前記アレイのディスプレイ要素の第１のセットにデータを書き込むことと、
第２のライン時間で前記アレイのディスプレイ要素の第２のセットにデータを書き込むこととを備え、前記第１のライン時間は前記第２のライン時間とは異なる、方法。
【請求項１６】
ディスプレイ要素の前記第１のセットは前記アレイの第１の行にアレイされ、ディスプレイ要素の前記第２のセットは前記アレイの第２の行にアレイされる、請求項１５に記載の方法。
【請求項１７】
第３のライン時間で前記アレイのディスプレイ要素の第３のセットを駆動することを備え、前記第３のライン時間は前記第１のライン時間および前記第２のライン時間とは異なる、請求項１５に記載の方法。
【請求項１８】
ディスプレイ要素の前記第１のセット、ディスプレイ要素の前記第２のセットおよびディスプレイ要素の前記第３のセットは異なるカラーサブピクセルに対応する、請求項１７に記載の方法。
【請求項１９】
ディスプレイ要素のアレイに接続された複数のコモンラインとセグメントラインとを含むディスプレイを駆動するためのシステムであって、
第１のライン時間で前記アレイのディスプレイ要素の第１のセットにデータを書き込むための手段と、
第２のライン時間で前記アレイのディスプレイ要素の第２のセットにデータを書き込むための手段とを備え、前記第１のライン時間は前記第２のライン時間とは異なる、システム。
【請求項２０】
ディスプレイ要素の第１のセットにデータを書き込むための前記手段とディスプレイ要素の第２のセットにデータを書き込むための前記手段とがコモンドライバを備える、請求項１９に記載のシステム。
【請求項２１】
第３のライン時間で前記アレイのディスプレイ要素の第３のセットにデータを書き込むための手段を備え、前記第３のライン時間は前記第１のライン時間および前記第２のライン時間とは異なる、請求項１９に記載のシステム。
【請求項２２】
ディスプレイ要素の前記第１のセット、ディスプレイ要素の前記第２のセットおよびディスプレイ要素の前記第３のセットは異なるカラーサブピクセルに対応する、請求項２１に記載のシステム。
【請求項２３】
ディスプレイ要素のアレイに接続された複数のコモンラインとセグメントラインとを含むディスプレイを駆動するように構成されたプログラムのためにデータを処理するためのコンピュータプログラム製品であって、
処理回路に、
第１のライン時間で前記アレイのディスプレイ要素の第１のセットにデータを書き込むことと、
第２のライン時間で前記アレイのディスプレイ要素の第２のセットにデータを書き込むこととを行わせるためのコードが記憶されている非一時的コンピュータ可読媒体を備え、前記第１のライン時間は前記第２のライン時間とは異なる、コンピュータプログラム製品。
【請求項２４】
第３のライン時間で前記アレイのディスプレイ要素の第３のセットにデータを書き込むためのコードを備え、前記第３のライン時間は前記第１のライン時間および前記第２のライン時間とは異なる、請求項２３に記載のコンピュータプログラム製品。
【請求項２５】
ディスプレイ要素の前記第１のセット、ディスプレイ要素の前記第２のセットおよびディスプレイ要素の前記第３のセットは異なるカラーサブピクセルに対応する、請求項２４に記載のコンピュータプログラム製品。
【請求項２６】
ディスプレイ要素のアレイに接続された複数のコモンラインと複数のセグメントラインとを含むディスプレイを駆動するためのシステムであって、
前記複数のコモンラインを駆動して、第１のライン時間でディスプレイ要素の第１のセットにデータを書き込むことと、第２のライン時間でディスプレイ要素の第２のセットにデータを書き込むこととを行うように構成されたコモンドライバを備え、前記第１のライン時間と前記第２のライン時間はディスプレイ要素の前記第１のセットの色とディスプレイ要素の前記第２のセットの色に基づく、システム。
【請求項２７】
前記第１のライン時間が前記第２のライン時間とは異なる、請求項２６に記載のシステム。
【請求項２８】
ディスプレイ要素の前記第１のセットは前記アレイの第１の行にアレイされ、ディスプレイ要素の前記第２のセットは前記アレイの第２の行にアレイされる、請求項２６に記載のシステム。
【請求項２９】
前記コモンドライバは第３のライン時間でディスプレイ要素の第３のセットを駆動するように構成され、前記第３のライン時間は前記第１のライン時間および前記第２のライン時間とは異なる、請求項２６に記載のシステム。
【請求項３０】
ディスプレイ要素の前記第１のセット、ディスプレイ要素の前記第２のセットおよびディスプレイ要素の前記第３のセットは異なるカラーサブピクセルに対応する、請求項２９に記載のシステム。
【請求項３１】
ディスプレイ要素の前記第１のセットは赤色のサブピクセルに対応し、ディスプレイ要素の前記第２のセットは緑色のサブピクセルに対応し、ディスプレイ要素の前記第３のセットは青色のサブピクセルに対応する、請求項３０に記載のシステム。
【請求項３２】
前記第２のライン時間は前記第１のライン時間および前記第３のライン時間よりも大きく、前記第１のライン時間は前記第３のライン時間よりも大きい、請求項３１に記載のシステム。
【請求項３３】
前記第１のライン時間および前記第２のライン時間はフロントポーチとバックポーチと書込みパルス時間とを含み、前記第２のライン時間は前記フロントポーチと前記バックポーチと前記書込みパルス時間のうちの少なくとも１つにおいて前記第１のライン時間とは異なる、請求項２６に記載のシステム。
【請求項３４】
ディスプレイ要素のアレイに接続された複数のコモンラインと複数のセグメントラインとを含むディスプレイにデータを書き込む方法であって、
第１のライン時間で前記アレイのディスプレイ要素の第１のセットにデータを書き込むことと、
第２のライン時間で前記アレイのディスプレイ要素の第２のセットにデータを書き込むこととを備え、前記第１のライン時間と前記第２のライン時間はディスプレイ要素の前記第１のセットの色とディスプレイ要素の前記第２のセットの色に基づく、方法。
【請求項３５】
前記第１のライン時間が前記第２のライン時間とは異なる、請求項３４に記載の方法。
【請求項３６】
ディスプレイ要素の前記第１のセットは前記アレイの第１の行にアレイされ、ディスプレイ要素の前記第２のセットは前記アレイの第２の行にアレイされる、請求項３４に記載の方法。
【請求項３７】
第３のライン時間で前記アレイのディスプレイ要素の第３のセットを駆動することを備え、前記第３のライン時間は前記第１のライン時間および前記第２のライン時間とは異なる、請求項３４に記載の方法。
【請求項３８】
ディスプレイ要素の前記第１のセット、ディスプレイ要素の前記第２のセットおよびディスプレイ要素の前記第３のセットは異なるカラーサブピクセルに対応する、請求項３７に記載の方法。
【請求項３９】
ディスプレイ要素のアレイに接続された複数のコモンラインとセグメントラインとを含むディスプレイを駆動するためのシステムであって、
第１のライン時間で前記アレイのディスプレイ要素の第１のセットにデータを書き込むための手段と、
第２のライン時間で前記アレイのディスプレイ要素の第２のセットにデータを書き込むための手段とを備え、前記第１のライン時間と前記第２のライン時間はディスプレイ要素の前記第１のセットの色とディスプレイ要素の前記第２のセットの色に基づく、システム。
【請求項４０】
前記第１のライン時間が前記第２のライン時間とは異なる、請求項３９に記載のシステム。
【請求項４１】
ディスプレイ要素の第１のセットにデータを書き込むための前記手段とディスプレイ要素の第２のセットにデータを書き込むための前記手段とがコモンドライバを備える、請求項３９に記載のシステム。
【請求項４２】
第３のライン時間で前記アレイのディスプレイ要素の第３のセットにデータを書き込むための手段を備え、前記第３のライン時間は前記第１のライン時間および前記第２のライン時間とは異なる、請求項３９に記載のシステム。
【請求項４３】
ディスプレイ要素の前記第１のセット、ディスプレイ要素の前記第２のセットおよびディスプレイ要素の前記第３のセットは異なるカラーサブピクセルに対応する、請求項４２に記載のシステム。
【請求項４４】
ディスプレイ要素のアレイに接続された複数のコモンラインとセグメントラインとを含むディスプレイを駆動するように構成されたプログラムのためにデータを処理するためのコンピュータプログラム製品であって、
処理回路に、
第１のライン時間で前記アレイのディスプレイ要素の第１のセットにデータを書き込むことと、
第２のライン時間で前記アレイのディスプレイ要素の第２のセットにデータを書き込むこととを行わせるためのコードが記憶されている非一時的コンピュータ可読媒体を備え、前記第１のライン時間と前記第２のライン時間はディスプレイ要素の前記第１のセットの色とディスプレイ要素の前記第２のセットの色に基づく、コンピュータプログラム製品。
【請求項４５】
前記第１のライン時間が前記第２のライン時間とは異なる、請求項４４に記載のコンピュータプログラム製品。
【請求項４６】
第３のライン時間で前記アレイのディスプレイ要素の第３のセットにデータを書き込むためのコードを備え、前記第３のライン時間は前記第１のライン時間および前記第２のライン時間とは異なる、請求項４４に記載のコンピュータプログラム製品。
【請求項４７】
ディスプレイ要素の前記第１のセット、ディスプレイ要素の前記第２のセットおよびディスプレイ要素の前記第３のセットは異なるカラーサブピクセルに対応する、請求項４６に記載のコンピュータプログラム製品。
【発明の詳細な説明】
【技術分野】
【０００１】
本開示は、電気機械ディスプレイにデータを書き込む際に書込み波形のタイミングを変化させるための方法およびシステムに関する。
【背景技術】
【０００２】
電気機械システムは、電気的および機械的要素と、アクチュエータと、トランスデューサと、センサーと、光学的構成要素（たとえば、ミラー）と、電子回路とを有するデバイスを含む。電気機械システムは、限定はしないが、マイクロスケールおよびナノスケールを含む、様々なスケールで製造され得る。たとえば、マイクロ電気機械システム（ＭＥＭＳ：microelectromechanical system）デバイスは、約１ミクロンから数百ミクロン以上に及ぶサイズを有する構造を含むことができる。ナノ電気機械システム（ＮＥＭＳ：nanoelectromechanical system）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００３】
１つのタイプの電気機械システムデバイスは干渉変調器（ＩＭＯＤ：interferometric modulator）と呼ばれる。本明細書で使用する干渉変調器または干渉光変調器という用語は、光学干渉の原理を使用して光を選択的に吸収および／または反射するデバイスを指す。いくつかの実施態様では、干渉変調器は伝導性プレートのペアを含み得、そのペアの一方または両方は、全体的にまたは部分的に、透明でおよび／または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【０００４】
干渉変調器は、ディスプレイ要素のラインにデータを書き込む列およびセグメントドライバ（column and segment driver）によって駆動することができる。一般に、ディスプレイのリフレッシュ速度は、ディスプレイにデータを書き込むための書込み波形のライン時間の関数である。書込み波形のライン時間が増加すると、画像を表示することができる速度が低下する。したがって、データをディスプレイに書き込むために必要なライン時間を減少させることが望ましい。
【発明の概要】
【０００５】
本開示のシステム、方法およびデバイスは、それぞれいくつかの発明的態様を有し、それらのうちの単一の態様が、単独で、本明細書で開示する望ましい属性を担当するとは限らない。
【０００６】
本開示で説明する主題の１つの発明的態様は、ディスプレイを駆動するためのシステムにおいて実施され得る。このシステムは、ディスプレイ要素のアレイに接続された複数のコモンラインと複数のセグメントラインと、複数のコモンラインを駆動するように構成されたコモンドライバとを含む。このコモンドライバは、複数のコモンラインを駆動して第１のライン時間でディスプレイ要素の第１のセットにデータを書き込み、第２のライン時間でディスプレイ要素の第２のセットにデータを書き込むように構成され得る。第１のライン時間は第２のライン時間と異なり得る。
【０００７】
本開示で説明する主題の別の発明的態様は、ディスプレイにデータを書き込む方法において実施され得る。このディスプレイは、ディスプレイ要素のアレイに接続された複数のコモンラインと複数のセグメントラインとを含む。本方法は、第１のライン時間でアレイのディスプレイ要素の第１のセットにデータを書き込むことと、第２のライン時間でアレイのディスプレイ要素の第２のセットにデータを書き込むこととを含む。第１のライン時間は第２のライン時間と異なり得る。
【０００８】
本開示で説明する主題の別の発明的態様は、ディスプレイ要素のアレイに接続された複数のコモンラインとセグメントラインとを含むディスプレイを駆動するためのシステムにおいて実施され得る。このシステムは、第１のライン時間でアレイのディスプレイ要素の第１のセットにデータを書き込むための手段と、第２のライン時間でアレイのディスプレイ要素の第２のセットにデータを書き込むための手段とを含む。第１のライン時間は第２のライン時間と異なり得る。
【０００９】
本開示で説明する主題の別の発明的態様は、ディスプレイ要素のアレイに接続された複数のコモンラインとセグメントラインとを含むディスプレイを駆動するように構成されたプログラムのためにデータを処理するためのコンピュータプログラム製品において実施され得る。このコンピュータプログラム製品は、処理回路に、第１のライン時間でアレイのディスプレイ要素の第１のセットにデータを書き込むことと、第２のライン時間でアレイのディスプレイ要素の第２のセットにデータを書き込むこととを行わせるためのコードが記憶されている非一時的コンピュータ可読媒体を含む。第１のライン時間は第２のライン時間と異なり得る。
【００１０】
本開示で説明する主題の別の発明的態様は、ディスプレイ要素のアレイに接続された複数のコモンラインと複数のセグメントラインとを含むディスプレイを駆動するためのシステムにおいて実施され得る。このシステムは、複数のコモンラインを駆動して第１のライン時間でディスプレイ要素の第１のセットにデータを書き込むことと、第２のライン時間でディスプレイ要素の第２のセットにデータを書き込むこととを行うように構成されたコモンドライバを含む。第１のライン時間と第２のライン時間は、ディスプレイ要素の第１のセットの色とディスプレイ要素の第２のセットの色に基づき得る。
【００１１】
本開示で説明する主題の別の発明的態様は、ディスプレイ要素のアレイに接続された複数のコモンラインと複数のセグメントラインとを含むディスプレイにデータを書き込む方法において実施され得る。本方法は、第１のライン時間でアレイのディスプレイ要素の第１のセットにデータを書き込むことと、第２のライン時間でアレイのディスプレイ要素の第２のセットにデータを書き込むこととを含む。第１のライン時間と第２のライン時間は、ディスプレイ要素の第１のセットの色とディスプレイ要素の第２のセットの色に基づき得る。
【００１２】
本開示で説明する主題の別の発明的態様は、ディスプレイ要素のアレイに接続された複数のコモンラインとセグメントラインとを含むディスプレイを駆動するためのシステムにおいて実施され得る。このシステムは、第１のライン時間でアレイのディスプレイ要素の第１のセットにデータを書き込むための手段と、第２のライン時間でアレイのディスプレイ要素の第２のセットにデータを書き込むための手段とを含む。第１のライン時間と第２のライン時間は、ディスプレイ要素の第１のセットの色とディスプレイ要素の第２のセットの色に基づき得る。
【００１３】
本開示で説明する主題の別の発明的態様は、ディスプレイ要素のアレイに接続された複数のコモンラインとセグメントラインとを含むディスプレイを駆動するように構成されたプログラムのためにデータを処理するためのコンピュータプログラム製品において実施され得る。このコンピュータプログラム製品は、処理回路に、第１のライン時間でアレイのディスプレイ要素の第１のセットにデータを書き込むことと、第２のライン時間でアレイのディスプレイ要素の第２のセットにデータを書き込むこととを行わせるためのコードが記憶されている非一時的コンピュータ可読媒体を含む。第１のライン時間と第２のライン時間は、ディスプレイ要素の第１のセットの色とディスプレイ要素の第２のセットの色に基づき得る。
【００１４】
本明細書で説明する主題の１つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００１５】
【図１】干渉変調器（ＩＭＯＤ）ディスプレイデバイスの一連のピクセル中の２つの隣接ピクセルを示す等角図の一例を示す図。
【図２】３×３干渉変調器ディスプレイを組み込んだ電子デバイスを示すシステムブロック図の一例を示す図。
【図３】図１の干渉変調器についての可動反射層位置対印加電圧を示す図の一例を示す図。
【図４】様々なコモン電圧およびセグメント電圧が印加されたときの干渉変調器の様々な状態を示す表の一例を示す図。
【図５Ａ】図２の３×３干渉変調器ディスプレイにおけるディスプレイデータのフレームを示す図の一例を示す図。
【図５Ｂ】図５Ａに示すディスプレイデータのフレームを書き込むために使用され得るコモン信号およびセグメント信号についてのタイミング図の一例を示す図。
【図６Ａ】図１の干渉変調器ディスプレイの部分断面図の一例を示す図。
【図６Ｂ】干渉変調器の異なる実施態様の断面図の一例を示す図。
【図６Ｃ】干渉変調器の異なる実施態様の断面図の一例を示す図。
【図６Ｄ】干渉変調器の異なる実施態様の断面図の一例を示す図。
【図６Ｅ】干渉変調器の異なる実施態様の断面図の一例を示す図。
【図７】干渉変調器のための製造プロセスを示す流れ図の一例を示す図。
【図８Ａ】干渉変調器を製作する方法における様々な段階の断面概略図の一例を示す図。
【図８Ｂ】干渉変調器を製作する方法における様々な段階の断面概略図の一例を示す図。
【図８Ｃ】干渉変調器を製作する方法における様々な段階の断面概略図の一例を示す図。
【図８Ｄ】干渉変調器を製作する方法における様々な段階の断面概略図の一例を示す図。
【図８Ｅ】干渉変調器を製作する方法における様々な段階の断面概略図の一例を示す図。
【図９】カラーディスプレイを駆動するためのコモンドライバとセグメントドライバとを示す図の一例。
【図１０】ディスプレイデータのフレームを書き込むために使用され得るコモン信号およびセグメント信号についてのタイミング図の一例。
【図１１】ディスプレイの一部の断面図の一例。
【図１２】ディスプレイのフレームを書き込むために使用され得るコモン信号についてのタイミング図の一例。
【図１３】ディスプレイのフレームを書き込むために使用され得るコモン信号についてのタイミング図の一例。
【図１４】ディスプレイにデータを書き込むプロセスを示す流れ図の一例。
【図１５Ａ】複数の干渉変調器を含むディスプレイデバイスを示すシステムブロック図の例を示す図。
【図１５Ｂ】複数の干渉変調器を含むディスプレイデバイスを示すシステムブロック図の例を示す図。
【詳細な説明】
【００１６】
様々な図面中の同様の参照番号および名称は同様の要素を示す。
【００１７】
以下の詳細な説明は、発明的態様について説明する目的で、いくつかの実施態様を対象とする。しかしながら、本明細書の教示は、多数の異なる方法で適用され得る。説明する実施態様は、動いていようと（たとえば、ビデオ）、静止していようと（たとえば、静止画像）、およびテキストであろうと、グラフィックであろうと、絵であろうと、画像を表示するように構成された任意のデバイスにおいて実施され得る。より具体的には、実施態様は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、クロック、計算器、テレビジョンモニタ、フラットパネルディスプレイ、電子リーディングデバイス（たとえば、電子リーダー）、コンピュータモニタ、自動車ディスプレイ（たとえば、オドメータディスプレイなど）、コックピットコントロールおよび／またはディスプレイ、カメラビューディスプレイ（たとえば、車両における後部ビューカメラのディスプレイ）、電子写真、電子ビルボードまたは標示、プロジェクタ、アーキテクチャ構造物、電子レンジ、冷蔵庫、ステレオシステム、カセットレコーダーまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメーター、パッケージング（たとえば、ＭＥＭＳおよび非ＭＥＭＳ）、審美構造物（たとえば、１つの宝飾品上の画像のディスプレイ）、ならびに様々な電気機械システムデバイスなど、様々な電子デバイス中に実施されるかまたはそれらに関連付けられ得ると考えられる。また、本明細書の教示は、限定はしないが、電子スイッチングデバイス、無線周波フィルタ、センサー、加速度計、ジャイロスコープ、運動感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセス、および電子テスト機器など、非ディスプレイ適用例において使用され得る。したがって、本教示は、単に図に示す実施態様に限定されるものではなく、代わりに、当業者に直ちに明らかになるであろう広い適用性を有する。
【００１８】
本明細書で説明する主題の特定の実施態様は、ディスプレイにおける異なるディスプレイ要素のための可変の書込み波形のライン時間を含む。いくつかの態様では、ライン時間はディスプレイ要素の構造上の差に基づいて変化する。たとえば、特定のディスプレイ要素のライン時間は、データが書き込まれるディスプレイ要素の色の関数であり得る。
【００１９】
本開示で説明する主題の特定の実施態様は、以下の潜在的な利点のうちの１つまたは複数を実現するように実施され得る。当技術分野で知られているドライバと比較したとき、ディスプレイデータを書き込むために必要な時間を減少させることができる。これによって、画像が表示されるフレーム速度を高めることができる。一般に、低速のフレーム速度のディスプレイは、傾斜およびラバーバンディング（rubberbanding）などのモーションアーティファクト（motion artifacts）の影響を受ける。たとえば、ディスプレイ画面が最上部から最下部へスキャンされる垂直のディスプレイスキャンを仮定すると、傾きが生じ、そのとき、画面上を左から右へ移動する垂直線は、右に傾いているように見え、部分的に斜めの線（たとえば、「／」）として表示される。同様に、画面の右から左へ移動する垂直線は、反対方向に傾いた部分的に斜めの線（たとえば、「＼」）に見える。画面の最上部から最下部までスクロールしているスクロールテキストが圧縮されているように見えるとき、ラバーバンディングが生じる。反対に、画面の最下部から画面の最上部までスクロールしているテキストは引き伸ばされて見える。これらの効果は、ディスプレイの最上ラインが更新されたときと、ディスプレイの最下ラインが更新されたときとの間の時間差の結果である。目がこれらの更新を統合すると、時間遅延は上述のモーションアーティファクトとして脳によって解釈される。フレーム速度が増加すると、ディスプレイの最上部の更新またはリフレッシュとディスプレイの最下部の更新またはリフレッシュとの間の時間差は減少し、これにより、これらのアーティファクトは減少する。
【００２０】
さらに、特定の構造構成を有するディスプレイ要素のパフォーマンスは、ディスプレイのための同じ全体更新速度で改善することができる。所与の目標更新速度ために、ディスプレイの異なるラインに対して異なってライン持続時間を割り当てるのが有用であり得る。これによって、ディスプレイ要素の好適な動作のためにより多くの余地を与えることができ、その結果、フレーム速度を低下させる、または画質を損なうことなく、ディスプレイパネルの収量を改善することができる。
【００２１】
説明する実施態様が適用され得る好適なＭＥＭＳデバイスの一例は、反射型ディスプレイデバイスである。反射型ディスプレイデバイスは、光学干渉の原理を使用してそれに入射する光を選択的に吸収および／または反射するために干渉変調器（ＩＭＯＤ）を組み込むことができる。ＩＭＯＤは、吸収器、吸収器に対して可動である反射体、ならびに吸収器と反射体との間に画定された光共振キャビティを含むことができる。反射体は、２つ以上の異なる位置に移動され得、これは、光共振キャビティのサイズを変化させ、それにより干渉変調器の反射率に影響を及ぼすことがある。ＩＭＯＤの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって、すなわち、反射体の位置を変更することによって調節され得る。
【００２２】
図１は、干渉変調器（ＩＭＯＤ）ディスプレイデバイスの一連のピクセル中の２つの隣接ピクセルを示す等角図の一例を示している。ＩＭＯＤディスプレイデバイスは、１つまたは複数の干渉ＭＥＭＳディスプレイ要素を含む。これらのデバイスでは、ＭＥＭＳディスプレイ要素のピクセルが、明状態または暗状態のいずれかにあることがある。明（「緩和」、「開」または「オン」）状態では、ディスプレイ要素は、たとえば、ユーザに、入射可視光の大部分を反射する。逆に、暗（「作動」、「閉」または「オフ」）状態では、ディスプレイ要素は入射可視光をほとんど反射しない。いくつかの実施態様では、オン状態の光反射特性とオフ状態の光反射特性は逆にされ得る。ＭＥＭＳピクセルは、黒および白に加えて、主に、カラーディスプレイを可能にする特定の波長において、反射するように構成され得る。
【００２３】
ＩＭＯＤディスプレイデバイスは、ＩＭＯＤの行／列アレイを含むことができる。各ＩＭＯＤは、（光ギャップまたはキャビティとも呼ばれる）エアギャップを形成するように互いから可変で制御可能な距離をおいて配置された反射層のペア、すなわち、可動反射層と固定部分反射層とを含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、ＩＭＯＤは、作動していないときに反射状態にあり、可視スペクトル内の光を反射し得、また、作動していないときに暗状態にあり、可視範囲外の光（たとえば、赤外光）を反射し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００２４】
図１中のピクセルアレイの図示の部分は、２つの隣接する干渉変調器１２を含む。（図示のような）左側のＩＭＯＤ１２では、可動反射層１４が、部分反射層を含む光学スタック１６からの所定の距離における緩和位置に示されている。左側のＩＭＯＤ１２の両端間に印加された電圧Ｖ0は、可動反射層１４の作動を引き起こすには不十分である。右側のＩＭＯＤ１２では、可動反射層１４は、光学スタック１６の近くの、またはそれに隣接する作動位置に示されている。右側のＩＭＯＤ１２の両端間に印加された電圧Ｖｂｉａｓは、可動反射層１４を作動位置に維持するのに十分である。
【００２５】
図１では、ピクセル１２の反射特性が、概して、ピクセル１２に入射する光を示す矢印１３と、左側のピクセル１２から反射する光１５とを用いて示されている。詳細に示していないが、ピクセル１２に入射する光１３の大部分は透明基板２０を透過され、光学スタック１６に向かうことになることを、当業者なら理解されよう。光学スタック１６に入射する光の一部分は光学スタック１６の部分反射層を透過されることになり、一部分は反射され、透明基板２０を通って戻ることになる。光学スタック１６を透過された光１３の部分は、可動反射層１４において反射され、透明基板２０に向かって（およびそれを通って）戻ることになる。光学スタック１６の部分反射層から反射された光と可動反射層１４から反射された光との間の（強め合うまたは弱め合う）干渉が、ピクセル１２から反射される光１５の（１つまたは複数の）波長を決定することになる。
【００２６】
光学スタック１６は、単一の層またはいくつかの層を含むことができる。その（１つまたは複数の）層は、電極層と、部分反射および部分透過層と、透明な誘電体層とのうちの１つまたは複数を含むことができる。いくつかの実施態様では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、様々な金属、たとえば、クロム（Ｃｒ）、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実施態様では、光学スタック１６は、光吸収体と導体の両方として働く、金属または半導体の単一の半透明の膜（thickness）を含むことができるが、（たとえば、光学スタック１６の、またはＩＭＯＤの他の構造の）異なる、より伝導性の高い層または部分が、ＩＭＯＤピクセル間で信号をバスで運ぶ（bus）ように働くことができる。光学スタック１６は、１つまたは複数の伝導性層または伝導性／吸収層をカバーする、１つまたは複数の絶縁層または誘電体層をも含むことができる。
【００２７】
いくつかの実施態様では、光学スタック１６の（１つまたは複数の）層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム（Ａｌ）などの高伝導性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の一連の平行ストリップとして形成されて、ポスト１８の上に堆積された列とポスト１８間に堆積された介在する犠牲材料とを形成し得る。犠牲材料がエッチング除去されると、画定されたギャップ１９または光キャビティが可動反射層１４と光学スタック１６との間に形成され得る。いくつかの実施態様では、ポスト１８間の間隔は１〜１０００μｍのオーダーであり得、ギャップ１９は１０，０００オングストローム（Å）未満のオーダーであり得る。
【００２８】
いくつかの実施態様では、ＩＭＯＤの各ピクセルは、作動状態にあろうと緩和状態にあろうと、本質的に、固定反射層および可動反射層によって形成されるキャパシタである。電圧が印加されないとき、可動反射層１４は、図１中の左側のピクセル１２によって示されるように、機械的に緩和した状態にとどまり、可動反射層１４と光学スタック１６との間のギャップ１９がある。しかしながら、電位差、たとえば、電圧が、選択された行および列のうちの少なくとも１つに印加されたとき、対応するピクセルにおける行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ピクセル１２によって示されるように、短絡を防ぎ、層１４と層１６との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００２９】
図２は、３×３干渉変調器ディスプレイを組み込んだ電子デバイスを示すシステムブロック図の一例を示す。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００３０】
プロセッサ２１は、アレイドライバ２２と通信するように構成され得る。アレイドライバ２２は、たとえば、ディスプレイアレイまたはパネル３０に、信号を与える行ドライバ回路２４と列ドライバ回路２６とを含むことができる。図２には、図１に示したＩＭＯＤディスプレイデバイスの断面が線１−１によって示されている。図２は明快のためにＩＭＯＤの３×３アレイを示しているが、ディスプレイアレイ３０は、極めて多数のＩＭＯＤを含んでいることがあり、列におけるＩＭＯＤの数とは異なる数のＩＭＯＤを行において有し得、その逆も同様である。
【００３１】
図３は、図１の干渉変調器についての可動反射層位置対印加電圧を示す図の一例を示す。ＭＥＭＳ干渉変調器の場合、行／列（すなわち、コモン／セグメント）書込みプロシージャが、図３に示すこれらのデバイスのヒステリシス特性を利用し得る。干渉変調器は、可動反射層またはミラーに緩和状態から作動状態に変更させるために、たとえば、約１０ボルトの電位差を必要とし得る。電圧がその値から低減されると、電圧が低下して、たとえば、１０ボルトより下に戻ったとき、可動反射層はそれの状態を維持するが、電圧が２ボルトより下に低下するまで、可動反射層は完全には緩和しない。したがって、図３に示すように、印加電圧のウィンドウがある電圧の範囲、約３〜７ボルトが存在し、そのウィンドウ内でデバイスは緩和状態または作動状態のいずれかで安定している。これは、本明細書では「ヒステリシスウィンドウ」または「安定性ウィンドウ」と呼ばれる。図３のヒステリシス特性を有するディスプレイアレイ３０の場合、行／列書込みプロシージャは、一度に１つまたは複数の行をアドレス指定するように設計され得、その結果、所与の行のアドレス指定中に、作動されるべきアドレス指定された行におけるピクセルは、約１０ボルトの電圧差にさらされ、緩和されるべきピクセルは、ほぼ０ボルトの電圧差にさらされる。アドレス指定後に、それらのピクセルは、それらが前のストローブ状態にとどまるような、約５ボルトの定常状態またはバイアス電圧差にさらされる。この例では、アドレス指定された後に、各ピクセルは、約３〜７ボルトの「安定性ウィンドウ」内の電位差を経験する。このヒステリシス特性の特徴は、たとえば、図１に示した、ピクセル設計が、同じ印加電圧条件下で作動または緩和のいずれかの既存の状態で安定したままであることを可能にする。各ＩＭＯＤピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくＩＭＯＤピクセルに流れ込まない。
【００３２】
いくつかの実施態様では、所与の行におけるピクセルの状態の所望の変化（もしあれば）に従って、列電極のセットに沿って「セグメント」電圧の形態のデータ信号を印加することによって、画像のフレームが作成され得る。次に、フレームが一度に１行書き込まれるように、アレイの各行がアドレス指定され得る。第１の行におけるピクセルに所望のデータを書き込むために、第１の行におけるピクセルの所望の状態に対応するセグメント電圧が列電極上に印加され得、特定の「コモン」電圧または信号の形態の第１の行パルスが第１の行電極に印加され得る。次いで、セグメント電圧のセットは、第２の行におけるピクセルの状態の所望の変化（もしあれば）に対応するように変更され得、第２のコモン電圧が第２の行電極に印加され得る。いくつかの実施態様では、第１の行におけるピクセルは、列電極に沿って印加されたセグメント電圧の変化による影響を受けず、第１のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび／または更新され得る。
【００３３】
各ピクセルの両端間に印加されるセグメント信号とコモン信号の組合せ（すなわち、各ピクセルの両端間の電位差）は、各ピクセルの得られる状態を決定する。図４は、様々なコモン電圧およびセグメント電圧が印加されたときの干渉変調器の様々な状態を示す表の一例を示している。当業者によって容易に理解されるように、「セグメント」電圧は、列電極または行電極のいずれかに印加され得、「コモン」電圧は、列電極または行電極のうちの他方に印加され得る。
【００３４】
図４に（ならびに図５Ｂに示すタイミング図に）示すように、開放電圧（release voltage）ＶＣＲＥＬがコモンラインに沿って印加されたとき、コモンラインに沿ったすべての干渉変調器要素は、セグメントラインに沿って印加された電圧、すなわち、高いセグメント電圧ＶＳＨおよび低いセグメント電圧ＶＳＬにかかわらず、代替的に開放または非作動状態と呼ばれる、緩和状態に入れられることになる。特に、開放電圧ＶＣＲＥＬがコモンラインに沿って印加されると、そのピクセルのための対応するセグメントラインに沿って高いセグメント電圧ＶＳＨが印加されたときも、低いセグメント電圧ＶＳＬが印加されたときも、変調器の両端間の潜在的な電圧（代替的にピクセル電圧と呼ばれる）は緩和ウィンドウ（図３参照。開放ウィンドウとも呼ばれる）内にある。
【００３５】
高い保持電圧ＶＣＨＯＬＤ＿Ｈまたは低い保持電圧ＶＣＨＯＬＤ＿Ｌなどの保持電圧がコモンライン上に印加されたとき、干渉変調器の状態は一定のままであることになる。たとえば、緩和ＩＭＯＤは緩和位置にとどまることになり、作動ＩＭＯＤは作動位置にとどまることになる。保持電圧は、対応するセグメントラインに沿って高いセグメント電圧ＶＳＨが印加されたときも、低いセグメント電圧ＶＳＬが印加されたときも、ピクセル電圧が安定性ウィンドウ内にとどまることになるように、選択され得る。したがって、セグメント電圧スイング（voltage swing）、すなわち、高いＶＳＨと低いセグメント電圧ＶＳＬとの間の差は、正または負のいずれかの安定性ウィンドウの幅よりも小さい。
【００３６】
高いアドレス指定電圧ＶＣＡＤＤ＿Ｌまたは低いアドレス指定電圧ＶＣＡＤＤ＿Ｌなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧ＶＣＡＤＤ＿Ｈがコモンラインに沿って印加されたとき、高いセグメント電圧ＶＳＨの印加は、変調器がそれの現在位置にとどまることを引き起こすことがあり、低いセグメント電圧ＶＳＬの印加は、変調器の作動を引き起こすことがある。当然の結果として、低いアドレス指定電圧ＶＣＡＤＤ＿Ｌが印加されたとき、セグメント電圧の影響は反対であり、高いセグメント電圧ＶＳＨは変調器の作動を引き起こし、低いセグメント電圧ＶＳＬは変調器の状態に影響しない（すなわち、安定したままである）ことがある。
【００３７】
いくつかの実施態様では、常に変調器の両端間で同じ極性電位差を引き起こす保持電圧、アドレス電圧、およびセグメント電圧が使用され得る。いくつかの他の実施態様では、変調器の電位差の極性を交番する信号が使用され得る。変調器の両端間の極性の交番（すなわち、書込みプロシージャの極性の交番）は、単一の極性の反復書込み動作後に起こることがある電荷蓄積を低減または抑止し得る。
【００３８】
図５Ａは、図２の３×３干渉変調器ディスプレイにおけるディスプレイデータのフレームを示す図の一例を示す。図５Ｂは、図５Ａに示すディスプレイデータのフレームを書き込むために使用され得るコモン信号およびセグメント信号についてのタイミング図の一例を示す。それらの信号は、たとえば、図２の３×３アレイに印加され得、これは、図５Ａに示すライン時間６０ｅディスプレイ配置を最終的にもたらすことになる。図５Ａ中の作動変調器は暗状態にあり、すなわち、その状態では、反射光の実質的部分が、たとえば、閲覧者に、暗いアピアランスをもたらすように可視スペクトルの外にある。図５Ａに示すフレームを書き込むより前に、ピクセルは任意の状態にあることがあるが、図５Ｂのタイミング図に示す書込みプロシージャは、各変調器が、第１のライン時間６０ａの前に、開放されており、非作動状態に属すると仮定する。
【００３９】
第１のライン時間６０ａ中に、開放電圧７０がコモンライン１上に印加され、コモンライン２上に印加される電圧が、高い保持電圧７２において始まり、開放電圧７０に移動し、低い保持電圧７６がコモンライン３に沿って印加される。したがって、コモンライン１に沿った変調器（コモン１，セグメント１）、（１，２）および（１，３）は、第１のライン時間６０ａの持続時間の間、緩和または非作動状態にとどまり、コモンライン２に沿った変調器（２，１）、（２，２）および（２，３）は、緩和状態に移動することになり、コモンライン３に沿った変調器（３，１）、（３，２）および（３，３）は、それらの前の状態にとどまることになる。図４を参照すると、コモンライン１、２または３のいずれも、ライン時間６０ａ中に作動を引き起こす電圧レベルにさらされていないので（すなわち、ＶＣＲＥＬ−緩和、およびＶＣＨＯＬＤ＿Ｌ−安定）、セグメントライン１、２および３に沿って印加されたセグメント電圧は、干渉変調器の状態に影響しないことになる。
【００４０】
第２のライン時間６０ｂ中に、コモンライン１上の電圧は高い保持電圧７２に移動し、コモンライン１に沿ったすべての変調器は、アドレス指定または作動電圧がコモンライン１上に印加されなかったので、印加されたセグメント電圧にかかわらず、緩和状態にとどまる。コモンライン２に沿った変調器は、開放電圧７０の印加により、緩和状態にとどまり、コモンライン３に沿った変調器（３，１）、（３，２）および（３，３）は、コモンライン３に沿った電圧が開放電圧７０に移動するとき、緩和することになる。
【００４１】
第３のライン時間６０ｃ中に、コモンライン１は、コモンライン１上に高いアドレス電圧７４を印加することによってアドレス指定される。このアドレス電圧の印加中に低いセグメント電圧６４がセグメントライン１および２に沿って印加されるので、変調器（１，１）および（１，２）の両端間のピクセル電圧は変調器の正の安定性ウィンドウの上端よりも大きく（すなわち、電圧差は、あらかじめ定義されたしきい値を超えた）、変調器（１，１）および（１，２）は作動される。逆に、高いセグメント電圧６２がセグメントライン３に沿って印加されるので、変調器（１，３）の両端間のピクセル電圧は、変調器（１，１）および（１，２）のピクセル電圧よりも小さく、変調器の正の安定性ウィンドウ内にとどまり、したがって変調器（１，３）は緩和したままである。また、ライン時間６０ｃ中に、コモンライン２に沿った電圧は低い保持電圧７６に減少し、コモンライン３に沿った電圧は開放電圧７０にとどまり、コモンライン２および３に沿った変調器を緩和位置のままにする。
【００４２】
第４のライン時間６０ｄ中に、コモンライン１上の電圧は、高い保持電圧７２に戻り、コモンライン１に沿った変調器を、それらのそれぞれのアドレス指定された状態のままにする。コモンライン２上の電圧は低いアドレス電圧７８に減少される。高いセグメント電圧６２がセグメントライン２に沿って印加されるので、変調器（２，２）の両端間のピクセル電圧は、変調器の負の安定性ウィンドウの下側端部（lower end）を下回り、変調器（２，２）が作動することを引き起こす。逆に、低いセグメント電圧６４がセグメントライン１および３に沿って印加されるので、変調器（２，１）および（２，３）は緩和位置にとどまる。コモンライン３上の電圧は、高い保持電圧７２に増加し、コモンライン３に沿った変調器を緩和状態のままにする。
【００４３】
最後に、第５のライン時間６０ｅ中に、コモンライン１上の電圧は高い保持電圧７２にとどまり、コモンライン２上の電圧は低い保持電圧７６にとどまり、コモンライン１および２に沿った変調器を、それらのそれぞれのアドレス指定された状態のままにする。コモンライン３上の電圧は、コモンライン３に沿った変調器をアドレス指定するために、高いアドレス電圧７４に増加する。低いセグメント電圧６４がセグメントライン２および３上に印加されるので、変調器（３，２）および（３，３）は作動するが、セグメントライン１に沿って印加された高いセグメント電圧６２は、変調器（３，１）が緩和位置にとどまることを引き起こす。したがって、第５のライン時間６０ｅの終わりに、３×３ピクセルアレイは、図５Ａに示す状態にあり、他のコモンライン（図示せず）に沿った変調器がアドレス指定されているときに起こり得るセグメント電圧の変動にかかわらず、保持電圧がコモンラインに沿って印加される限り、その状態にとどまることになる。
【００４４】
図５Ｂのタイミング図では、所与の書込みプロシージャ（すなわち、ライン時間６０ａ〜６０ｅ）は、高い保持およびアドレス電圧、または低い保持およびアドレス電圧のいずれかの使用を含むことができる。書込みプロシージャが所与のコモンラインについて完了されると（また、コモン電圧が、作動電圧と同じ極性を有する保持電圧に設定されると）、ピクセル電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、必要なライン時間を決定し得る。詳細には、変調器の開放時間が作動時間よりも大きい実施態様では、開放電圧は、図５Ｂに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００４５】
上記に記載した原理に従って動作する干渉変調器の構造の詳細は大きく異なり得る。たとえば、図６Ａ〜図６Ｅは、可動反射層１４とそれの支持構造とを含む、干渉変調器の異なる実施態様の断面図の例を示している。図６Ａは、金属材料のストリップ、すなわち、可動反射層１４が、基板２０から直角に延在する支持体１８上に堆積される、図１の干渉変調器ディスプレイの部分断面図の一例を示している。図６Ｂでは、各ＩＭＯＤの可動反射層１４は、概して形状が正方形または長方形であり、コーナーにおいてまたはその近くでテザー３２に接して支持体に取り付けられる。図６Ｃでは、可動反射層１４は、概して形状が正方形または長方形であり、フレキシブルな金属を含み得る変形可能層３４から吊るされる。変形可能層３４は、可動反射層１４の外周の周りで基板２０に直接または間接的に接続することがある。これらの接続は、本明細書では支持ポストと呼ばれる。図６Ｃに示す実施態様は、変形可能層３４によって行われる可動反射層１４の機械的機能からのそれの光学的機能の分離から派生する追加の利益を有する。この分離は、反射層１４のために使用される構造設計および材料と、変形可能層３４のために使用される構造設計および材料とが、互いとは無関係に最適化されることを可能にする。
【００４６】
図６Ｄは、可動反射層１４が反射副層（reflective sub-layer）１４ａを含む、ＩＭＯＤの別の例を示している。可動反射層１４は、支持ポスト１８などの支持構造上に載る。支持ポスト１８は、たとえば、可動反射層１４が緩和位置にあるとき、可動反射層１４と光学スタック１６との間にギャップ１９が形成されるように、下側静止電極（すなわち、図示のＩＭＯＤにおける光学スタック１６の一部）からの可動反射層１４の分離を可能にする。可動反射層１４は、電極として働くように構成され得る伝導性層１４ｃと、支持層１４ｂとをも含むことができる。この例では、伝導性層１４ｃは、基板２０から遠位にある支持層１４ｂの一方の面に配設され、反射副層１４ａは、基板２０の近位にある支持層１４ｂの他方の面に配設される。いくつかの実施態様では、反射副層１４ａは、伝導性であることがあり、支持層１４ｂと光学スタック１６との間に配設され得る。支持層１４ｂは、誘電材料、たとえば、酸窒化ケイ素（ＳｉＯＮ）または二酸化ケイ素（ＳｉＯ２）の、１つまたは複数の層を含むことができる。いくつかの実施態様では、支持層１４ｂは、たとえば、ＳｉＯ２／ＳｉＯＮ／ＳｉＯ２３層スタックなど、複数の層のスタックであり得る。反射副層１４ａと伝導性層１４ｃのいずれかまたは両方は、たとえば、約０．５％の銅（Ｃｕ）または別の反射金属材料を用いた、アルミニウム（Ａｌ）合金を含むことができる。誘電支持層１４ｂの上および下で伝導性層１４ａ、１４ｃを採用することは、応力のバランスをとり、伝導の向上を与えることができる。いくつかの実施態様では、反射副層１４ａおよび伝導性層１４ｃは、可動反射層１４内の特定の応力プロファイルを達成することなど、様々な設計目的で、異なる材料から形成され得る。
【００４７】
図６Ｄに示すように、いくつかの実施態様はブラックマスク構造２３をも含むことができる。ブラックマスク構造２３は、周辺光または迷光を吸収するために、光学不活性領域において（たとえば、ピクセル間にまたはポスト１８の下に）形成され得る。ブラックマスク構造２３はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造２３は、伝導性であり、電気的バス層として機能するように構成され得る。いくつかの実施態様では、行電極は、接続された行電極の抵抗を低減するために、ブラックマスク構造２３に接続され得る。ブラックマスク構造２３は、堆積およびパターニング技法を含む様々な方法を使用して形成され得る。ブラックマスク構造２３は１つまたは複数の層を含むことができる。たとえば、いくつかの実施態様では、ブラックマスク構造２３は、光吸収器として働くモリブデンクロム（ＭｏＣｒ）層と、１つの層と、反射体およびバス層として働く、アルミニウム合金とを含み、それぞれ、約３０〜８０Å、５００〜１０００Å、および５００〜６０００Åの範囲内の厚さである。１つまたは複数の層は、たとえば、ＭｏＣｒ層およびＳｉＯ2層の場合は、四フッ化炭素（ＣＦ４）および／または酸素（Ｏ２）、ならびにアルミニウム合金層の場合は、塩素（Ｃｌ２）および／または三塩化ホウ素（ＢＣｌ３）を含む、フォトリソグラフィおよびドライエッチングを含む、様々な技法を使用してパターニングされ得る。いくつかの実施態様では、ブラックマスク２３はエタロンまたは干渉スタック構造であり得る。そのような干渉スタックブラックマスク構造２３では、伝導性吸収体は、各行または列の光学スタック１６における下側静止電極間で信号を送信するかまたは信号をバスで運ぶために使用され得る。いくつかの実施態様では、スペーサ層３５が、ブラックマスク２３中の伝導性層から吸収層１６ａを概して電気的に絶縁するのに、役立つことができる。
【００４８】
図６Ｅは、可動反射層１４が自立している、ＩＭＯＤの別の例を示している。図６Ｄとは対照的に、図６Ｅの実施態様は支持ポスト１８を含まない。代わりに、可動反射層１４は、複数のロケーションにおいて、下にある光学スタック１６に接触し、可動反射層１４の湾曲は、干渉変調器の両端間の電圧が作動を引き起こすには不十分であるとき、可動反射層１４が図６Ｅの非作動位置に戻るという、十分な支持を与える。複数のいくつかの異なる層を含んでいることがある光学スタック１６は、ここでは明快のために、光吸収体１６ａと誘電体１６ｂとを含む状態で示されている。いくつかの実施態様では、光吸収体１６ａは、固定電極としても、部分反射層としても働き得る。
【００４９】
図６Ａ〜図６Ｅに示す実施態様などの実施態様では、ＩＭＯＤは直視型デバイスとして機能し、直視型デバイスでは、画像が、透明基板２０の正面、すなわち、変調器が配置された面の反対の面から、閲覧される。これらの実施態様では、デバイスの背面部分（すなわち、たとえば、図６Ｃに示す変形可能層３４を含む、可動反射層１４の背後のディスプレイデバイスの任意の部分）は、反射層１４がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造（図示せず）が可動反射層１４の背後に含まれ得、これは、電圧アドレス指定およびそのようなアドレス指定に起因する移動など、変調器の電気機械的特性から変調器の光学的特性を分離する能力を与える。さらに、図６Ａ〜図６Ｅの実施態様は、たとえばパターニングなどの処理を簡略化することができる。
【００５０】
図７は、干渉変調器のための製造プロセス８０を示す流れ図の一例を示しており、図８Ａ〜図８Ｅは、そのような製造プロセス８０の対応する段階の断面概略図の例を示している。いくつかの実施態様では、製造プロセス８０は、図７に示されていない他のブロックに加えて、たとえば、図１および図６に示す一般的なタイプの干渉変調器を製造するために実施され得る。図１、図６および図７を参照すると、プロセス８０はブロック８２において開始し、基板２０上への光学スタック１６の形成を伴う。図８Ａは、基板２０上で形成されたそのような光学スタック１６を示している。基板２０は、ガラスまたはプラスチックなどの透明基板であり得、それは、フレキシブルであるかまたは比較的固く曲がらないことがあり、光学スタック１６の効率的な形成を可能にするために、事前準備プロセス、たとえば、洗浄にかけられていることがある。上記で説明したように、光学スタック１６は、電気伝導性であり、部分的に透明で、部分的に反射性であることがあり、たとえば、透明基板２０上に、所望の特性を有する１つまたは複数の層を堆積させることによって、作製され得る。図８Ａでは、光学スタック１６は、副層１６ａおよび１６ｂを有する多層構造を含むが、いくつかの他の実施態様では、より多いまたはより少ない副層が含まれ得る。いくつかの実施態様では、副層１６ａ、１６ｂのうちの１つは、組み合わせられた導体／吸収体副層１６ａなど、光吸収特性と伝導特性の両方で構成され得る。さらに、副層１６ａ、１６ｂのうちの１つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層１６ａ、１６ｂのうちの１つは、１つまたは複数の金属層（たとえば、１つまたは複数の反射層および／または伝導性層）上に堆積された副層１６ｂなど、絶縁層または誘電体層であり得る。さらに、光学スタック１６は、ディスプレイの行を形成する個々の平行ストリップにパターニングされ得る。
【００５１】
プロセス８０はブロック８４において続き、光学スタック１６上への犠牲層２５の形成を伴う。犠牲層２５は、キャビティ１９を形成するために後で（たとえば、ブロック９０において）除去され、したがって、犠牲層２５は、図１に示した得られた干渉変調器１２には示されていない。図８Ｂは、光学スタック１６上で形成された犠牲層２５を含む、部分的に作製されたデバイスを示している。光学スタック１６上での犠牲層２５の形成は、後続の除去後に、所望の設計サイズを有するギャップまたはキャビティ１９（図１および図８Ｅも参照）を与えるように選択された厚さの、モリブデン（Ｍｏ）またはアモルファスシリコン（ａ−Ｓｉ）など、フッ化キセノン（ＸｅＦ２）エッチング可能材料の堆積を含み得る。犠牲材料の堆積は、物理蒸着（ＰＶＤ、たとえば、スパッタリング）、プラズマ強化化学蒸着（ＰＥＣＶＤ）、熱化学蒸着（熱ＣＶＤ）、またはスピンコーティングなど、堆積技法を使用して行われ得る。
【００５２】
プロセス８０はブロック８６において続き、支持構造、たとえば、図１、図６および図８Ｃに示すポスト１８の形成を伴う。ポスト１８の形成は、支持構造開口を形成するために犠牲層２５をパターニングすることと、次いで、ＰＶＤ、ＰＥＣＶＤ、熱ＣＶＤ、またはスピンコーティングなど、堆積方法を使用して、ポスト１８を形成するために開口中に材料（たとえば、ポリマーまたは無機材料、たとえば、酸化ケイ素）を堆積させることとを含み得る。いくつかの実施態様では、犠牲層中に形成された支持構造開口は、ポスト１８の下側端部が図６Ａに示すように基板２０に接触するように、犠牲層２５と光学スタック１６の両方を通って、下にある基板２０まで延在することがある。代替的に、図８Ｃに示すように、犠牲層２５中に形成された開口は、犠牲層２５は通るが、光学スタック１６は通らないで、延在することがある。たとえば、図８Ｅは、光学スタック１６の上側表面（upper surface）と接触している支持ポスト１８の下側端部を示している。ポスト１８、または他の支持構造は、犠牲層２５上に支持構造材料の層を堆積させることと、犠牲層２５中の開口から離れて配置された支持構造材料の部分をパターニングすることとによって形成され得る。支持構造は、図８Ｃに示すように開口内に配置され得るが、少なくとも部分的に、犠牲層２５の一部分の上で延在することもある。上述のように、犠牲層２５および／または支持ポスト１８のパターニングは、パターニングおよびエッチングプロセスによって実行され得るが、代替エッチング方法によっても実行され得る。
【００５３】
プロセス８０はブロック８８において続き、図１、図６および図８Ｄに示す可動反射層１４などの可動反射層または膜の形成を伴う。可動反射層１４は、１つまたは複数のパターニング、マスキング、および／またはエッチングステップとともに、１つまたは複数の堆積ステップ、たとえば、反射層（たとえば、アルミニウム、アルミニウム合金）堆積を採用することによって、形成され得る。可動反射層１４は、電気伝導性であり、電気伝導性層（electrically conductive layer）と呼ばれることがある。いくつかの実施態様では、可動反射層１４は、図８Ｄに示すように複数の副層１４ａ、１４ｂ、１４ｃを含み得る。いくつかの実施態様では、副層１４ａ、１４ｃなど、副層のうちの１つまたは複数は、それらの光学的特性のために選択された高反射性副層を含み得、別の副層１４ｂは、それの機械的特性のために選択された機械的副層を含み得る。犠牲層２５は、ブロック８８において形成された部分的に作製された干渉変調器中に依然として存在するので、可動反射層１４は、一般にこの段階では可動でない。犠牲層２５を含んでいる部分的に作製されたＩＭＯＤは、本明細書では「非開放（unreleased）」ＩＭＯＤと呼ばれることもある。図１に関して上記で説明したように、可動反射層１４は、ディスプレイの列を形成する個々の平行ストリップにパターニングされ得る。
【００５４】
プロセス８０はブロック９０において続き、キャビティ、たとえば、図１、図６および図８Ｅに示すキャビティ１９の形成を伴う。キャビティ１９は、（ブロック８４において堆積された）犠牲材料２５をエッチャントにさらすことによって形成され得る。たとえば、ＭｏまたはアモルファスＳｉなどのエッチング可能犠牲材料が、ドライ化学エッチングによって、たとえば、一般に、キャビティ１９を囲む構造に対して選択的に除去される、所望の量の材料を除去するのに有効である期間の間、固体ＸｅＦ２から派生した蒸気などの気体または蒸気エッチャントに犠牲層２５をさらすことによって、除去され得る。他のエッチング方法、たとえば、ウェットエッチングおよび／またはプラズマエッチングも使用され得る。犠牲層２５がブロック９０中に除去されるので、可動反射層１４は、一般に、この段階後に可動となる。犠牲材料２５の除去後に、得られた完全にまたは部分的に作製されたＩＭＯＤは、本明細書では「開放」ＩＭＯＤと呼ばれることがある。
【００５５】
図９は、カラーディスプレイを駆動するためのコモンドライバ９０２とセグメントドライバ９０４とを示す図の一例を示す。カラーディスプレイは、ディスプレイ要素のアレイを含み得る。たとえば、図９に示す態様では、ディスプレイは１つまたは複数の光の色を出力するように構成された複数のディスプレイ要素１０２を含む。たとえば、図９に示すディスプレイ要素１０２の各々は、上述の干渉変調器などの電気機械ディスプレイ要素として構成され得る。
【００５６】
コモンドライバ９０２とセグメントドライバ９０４とは、ディスプレイ要素１０２に受動的に対処するように構成され得る。たとえば、セグメントドライバ９０４は、上述のように「セグメント」電圧を駆動ライン９２２、９２４、９２６に印加するように構成され得る。コモンドライバ９０２は、上述のように、「コモン」電圧または信号を駆動ライン９１２、９１４、９１６のうちの１つに印加するように構成することができ、一方セグメント電圧はディスプレイ要素１０２の行にデータを書き込むために印加される。このようにして、コモンドライバ９０２とセグメントドライバ９０４とは、ディスプレイ要素１０２の行に順次対処することによって、受動的にディスプレイを駆動するために使用され得る。
【００５７】
図９でわかるように、ディスプレイ要素１０２の各行は、駆動ライン９１２、９１４、９１６のうちの１つに関連している。いくつかの態様では、ディスプレイ要素１０２は、ピクセル９５０ａ〜９５０ｄなどの論理ピクセルを形成するようにグループ化される。そのような態様では、ディスプレイはカラーディスプレイまたは単色のグレースケールディスプレイを含み得る。図示された態様では、各ピクセル９５０は３つの列×３つの行でアレイされた９つのディスプレイ要素を備える。したがって、幅１２８ピクセル×高さ９８ピクセルとなるように構成されたディスプレイについては、たとえば、ディスプレイは３８４×２９４のディスプレイ要素のアレイを備え得る。
【００５８】
いくつかの実施態様では、ディスプレイの電極の一部は、駆動ライン９２２ａおよび９２４ａなどと互いに電気的に通信し得る。そのような実施態様では、これらの駆動ラインに結合されたセグメント電極の各々にわたって、同じ電圧波形が同時に印加され得る。したがって、図示した態様では、ピクセルの各ライン中の３つのディスプレイ要素１０２のうちの２つは同じディスプレイデータで駆動され得る。いくつかの態様では、行の中の２つ以上のディスプレイ要素にデータを供給する駆動ラインは最上位ビット（ＭＳＢ）ラインと呼ばれ、一方行の中の１つの要素にだけデータを供給する駆動ラインは最下位ビット（ＬＳＢ）ラインと呼ばれる。
【００５９】
アレイが複数の干渉変調器を含んでいるカラーディスプレイを含む一実施態様では、所与のコモンラインに沿った実質的にすべてのディスプレイ要素が同じ色を表示するように構成されたディスプレイ要素を含むように、様々な色がコモンラインに沿って整列され得る。カラーディスプレイのいくつかの実施態様は、赤色、緑色および青色のサブピクセルの交互になったラインを含む。たとえば、ライン９１２は赤色の干渉変調器のラインに対応し得、ライン９１４は緑色の干渉変調器のラインに対応し得、ライン９１６は青色の干渉変調器のラインに対応し得る。一実施態様では、干渉変調器１０２の各３×３アレイは、ピクセル９５０のうちの１つを形成する。セグメント電極の２つが互いに短絡される図示した実施態様では、各ピクセル中の３つのコモンカラーサブピクセルの各セットが４つの異なる状態に配置され得るので、そのような３×３ピクセルは６４の異なる色（たとえば、６ビットの色深度）をレンダリングすることができる。単色グレースケールモードでこの配置を使用する場合、各色のための３つのピクセルセットの状態は同一になるようにされ、その場合、各ピクセルは４つの異なるグレーレベルの強度を呈し得る。これは一例にすぎず、全体のピクセル数または解像度を犠牲にしてより大きな色域を有するピクセルを形成するために、より大きなグループの干渉変調器が使用され得ることが諒解されよう。さらに、様々な色が行に沿って整列される代わりに、列に沿って整列されてもよいことが諒解されよう。
【００６０】
図９に示すように、ピクセルの各行は個別のコモン駆動ラインによって駆動され得る。したがって、ディスプレイ中に論理ピクセルのＮ個の行が存在する場合、コモンドライバ９０２は３×Ｎの駆動ライン９１２、９１４、９１６でディスプレイ要素１０２を駆動する。さらに、各ピクセルは、上述のようにＭＳＢラインとＬＳＢラインによって駆動され得る。したがって、ディスプレイ中にピクセルのＭ個の列が存在する場合、セグメントドライバ９０４は２×Ｍの駆動ラインでディスプレイ要素１０２を駆動し、この場合駆動ライン９２２、９２４の各セット（９２２ａおよび９２４ａなど）はコモンＭＳＢラインによって駆動され、駆動ライン９２６は個別のＬＳＢ駆動ラインによって駆動される。
【００６１】
ピクセル９５０中の色のうち１つだけをラッチするために、コモンドライバ９０２はその色に関連した駆動ラインにパルスを印加する。したがって、異なる時間であっても、データはピクセル９５０中の各色に別々に書き込まれ得る。たとえば、セグメント電圧はＭＳＢラインとＬＳＢラインに印加され、次いでピクセル９５０ａの最上行に関連した駆動ラインは、ピクセル９５０ａの最上行の中の要素にデータを書き込むためにパルス化される。その後、セグメント電圧はＭＳＢラインとＬＳＢラインに印加され、ピクセル９５０ａの中央行に関連した駆動ラインは、中央行の中の要素にデータを書き込むためにパルス化される。その後、データは同様の手順を使用して最終行の中の要素に書き込まれ得る。
【００６２】
図１０は、ディスプレイデータのフレームを書き込むために使用され得るコモン信号およびセグメント信号についてのタイミング図の一例を示す。ディスプレイ要素のアレイのリフレッシュ速度は、エラーなしで新しいデータをサブピクセルに書き込むために必要な時間量の関数である。この時間量は、ディスプレイの各サブピクセルのライン時間として定義され得る。ライン時間は、フロントポーチ（ＦＰ）と書込みパルス（ＷＰ）とバックポーチ（ＢＰ）とを含む。フロントポーチとバックポーチは、アレイ中のサブピクセルのエラー、または誤作動／非作動を回避するために設けられる。
【００６３】
たとえば、フロントポーチ１０２０は、書込みパルスの印加の前に、すべてのセグメントラインがＳＥＧ移行後の新しい状態に落ち着くために十分な時間を与える。同様に、バックポーチ１０２２は、後続のＳＥＧ移行の前にＣＯＭ書込みパルスが保持状態に戻ることができるように設けられる。最後に、書込みパルス時間１０２４は、書込みパルスによって作動されるセグメントライン上のすべてのサブピクセルの作動を可能にするために十分な時間を与える。図１０に示した例では、フロントポーチとバックポーチが高い保持電圧７２に対応し、書込みパルス電圧レベルが高いアドレス電圧７４に対応するようにディスプレイを駆動するために正極性が仮定される。加えて、上記のように、セグメント移行は、高いアドレス電圧７４の書込みパルスが印加され、対応するセグメントラインが低いセグメント電圧６４にある場合にディスプレイ要素が作動されるように、低いセグメント電圧６４と高いセグメント電圧６２とを含む。
【００６４】
図１０に示した駆動方式では、ディスプレイの各行のライン時間は、各行のサブピクセルの特性にかかわらず同じ持続時間を有する。結果として、ディスプレイのリフレッシュ速度は、ライン時間×アレイの行数である。しかしながら、上記で論じたように、アレイの異なる行は構造上の差を有し得る、および／または異なるカラーサブピクセルに対応し得る。以下でより詳細に説明するように、異なる色を表示するように構成されたサブピクセルは、サブピクセルを駆動するための異なる最小ライン時間に対応する構造上の差を有し得る。
【００６５】
たとえば、図９を参照しながら上記で論じたように、コモンライン１で駆動されるサブピクセルの第１の行は赤色のサブピクセルのみを含み得る。第２の行と第３の行は、それぞれ緑色のサブピクセルと青色のサブピクセルのみを含み得る。異なるカラーサブピクセルは、サブピクセルの電極間の異なる間隙に起因する異なる色を表示する。このことは図１１に示しており、サブピクセルの行がページに広がっている。
【００６６】
図１１は、ディスプレイの一部の断面図の一例である。ディスプレイは、光学スタックの基礎をなす基板１１１０を含む。上述のように、ディスプレイ要素は部分反射および部分透過層（たとえば、吸収体）１１０２と、可動要素１１０６ａ、１１０６ｂおよび１１０６ｃとを含む。光学スタックはまた、部分反射および部分透過層１１０２の両側、ならびに／あるいは可動層１１０６ａ、１１０６ｂおよび１１０６ｃの両側で、基板と光学スタックとの間に配設された複数の誘導体層（図示せず）も含み得る。
【００６７】
支持体１１０４は各サブピクセルのコーナー領域に配設され、可動要素１１０６ａ、１１０６ｂおよび１１０６ｃのエッジ部分を支持するように構成される。図１１は、明快のために、上記の図６Ａ〜６Ｅを参照しながら説明した光学スタックの他の層（たとえば、１つまたは複数の透明誘電体層）を省略しているが、当業者であれば、特定の適用例のために必要に応じて他の層が存在し得ることを理解されよう。
【００６８】
図１１に示すように、間隙１１０８ａ、１１０８ｂおよび１１０８ｃは、可動要素１１０６ａ、１１０６ｂおよび１１０６ｃと、部分反射および部分透過層１１０２との間で定義される。間隙１１０８ａ、１１０８ｂおよび１１０８ｃは、異なる可動要素１１０６ａ、１１０６ｂおよび１１０６ｃの間で異なり得る。たとえば、各ディスプレイ要素は異なる大きさの間隙を有し得る。図示の例では、間隙１１０６ａは、間隙１１０６ｃよりも高い高さの間隙１１０６ｂよりも高い高さを有する。
【００６９】
上記で論じたように、部分反射および部分透過層１１０２から反射される光と、可動要素１１０６ａ、１１０６ｂおよび１１０６ｃとの間の干渉は、各サブピクセルから反射される光の（１つまたは複数の）波長を決定する。次に、各間隙高１１０８ａ、１１０８ｂおよび１１０８ｃは特定の光の波長を優先的に反射する距離に対応し得る。たとえば、間隙１１０８ａは赤色のサブピクセルに対応し得、間隙１１０８ｂは緑色のサブピクセルに対応し得、間隙１１０８ｃは青色のサブピクセルに対応し得る。代替的に、青色のサブピクセルは二次青色光を反射するように構成され得る。この例では、間隙１１０８ａは青色のサブピクセルに対応し、間隙１１０８ｂは赤色のサブピクセルに対応し、間隙１１０８ｃは緑色のサブピクセルに対応する。間隙高は上記で説明した構成に限定されず、サブピクセルによって反射される特定の色光の波長のオーダーに基づいて、異なる色のサブピクセルが異なる間隙高に対応するように変化し得ることを当業者であれば理解されよう。
【００７０】
図１１に示すディスプレイ要素の異なる行は、様々な方法で構成され、駆動され得る。たとえば、いくつかの実施態様では、可動要素１１０６ａ、１１０６ｂおよび１１０６ｃの剛性は異なる行のために異なり得る。さらに、コモン駆動回路９０２は、異なるカラーディスプレイ要素の行のために、保持電圧７２と作動電圧７４に対して異なる電圧振幅を印加するように構成され得る。
【００７１】
さらに、異なる色を呈するサブピクセルは異なる特性を有することから、書込みパルスの印加に対する異なる応答時間を有することがあり、異なる最小書込みパルス時間を必要とし得る。同様に、異なるカラーサブピクセルに適したフロントポーチおよびバックポーチは、サブピクセルの色に依存し得る。書込みパルス、フロントポーチおよびバックポーチは、従来の駆動方式で、適切な動作を確実にするために最長の設定を必要とするカラーサブピクセルの要件を満たすように、すべてのカラーピクセルのために構成される。
【００７２】
いくつかの実施態様では、異なるカラーサブピクセルの行は、異なる書込み波形ライン時間に対応する駆動信号で駆動される。各カラーサブピクセル行のライン時間は、特定の色の特性、ならびに特定のカラーサブピクセルの対応する物理的構造および応答時間に基づいて構成され得る。その結果、ディスプレイの平均ライン時間を減少させることができ、ディスプレイの全体的なリフレッシュ速度を改善することができる。
【００７３】
たとえば、アレイ中の緑色のサブピクセルのための書込みパルスに対応する最小時間は、アレイ中の赤色のサブピクセルのための書込みパルスに対応する最小時間よりも少なくなり得る。次に、緑色のサブピクセルを含む行は、赤色のサブピクセルのある行よりも短いライン時間で構成され得る。アレイ中の緑色のサブピクセルのライン時間は従来の駆動方式よりも減少するので、ディスプレイのリフレッシュ速度も同様に増加する。
【００７４】
図１２は、ディスプレイのフレームを書き込むために使用され得るコモン信号についてのタイミング図の一例を示す。図１２に示すように、コモンドライバは、各コモンラインに対応するライン時間が異なるように、駆動信号をコモンラインＣＯＭ１〜ＣＯＭ３に提供するように構成され得る。たとえば、赤色のサブピクセルは第１のライン時間ＬＴＲで、緑色のサブピクセルはＬＴＧのライン時間で、青色のサブピクセルはライン時間ＬＴＢで駆動され得る。ライン時間ＬＴＲ、ＬＴＧ、ＬＴＢの各々は、対応するフロントポーチ（ＦＰ）と書込みパルス時間（ＷＰ）とバックポーチ（ＢＰ）とを含む。上述のように、フロントポーチとバックポーチは、アレイ中のピクセルの誤作動または非作動が起こらないことを確実にするために設けられる。書込みパルス時間は、対応するピクセルへデータを書き込むための所要な時間量を提供するように構成される。たとえば、ＷＰＲはアレイ中の赤色のサブピクセルにデータを書き込むように構成された時間量に対応する。
【００７５】
図１２に示すように、アレイ中の青色のサブピクセルのための書込みパルスに対応する時間は、アレイ中の緑色のサブピクセルのための書込みパルスに対応する時間よりも少なくなり得る。次に、緑色のサブピクセルを含む行は、赤色のサブピクセルのある行よりも長いライン時間で構成され得る。同様に、赤色のサブピクセルの行は青色のサブピクセルの行よりも長いライン時間を有するように構成される。アレイ中の赤色のサブピクセルのライン時間と青色のサブピクセルのライン時間は、すべての行のライン時間が最長の所要ライン時間に対応する従来の駆動方式よりも減少するので、ディスプレイのリフレッシュ速度も同様に増加する。
【００７６】
図１２は、ＬＴＧがＬＴＢよりも大きいＬＴＲよりも大きな一例を示す。しかしながら、カラーサブピクセルの各々のライン時間は、異なるカラーサブピクセルの構造上の差に依存する。たとえば、青色のサブピクセルは最大間隙高１１０８ａに対応し得、赤色のサブピクセルは間隙高１１０８ｂに対応し得、緑色のサブピクセルは間隙高１１０８ｃに対応し得るが、異なるカラーサブピクセルの剛性および構造の差によって、赤色および青色のサブピクセルよりも緑色のサブピクセルのためのライン時間が長くなることがある。
【００７７】
さらに、図１２は、書込みパルス（ＷＰ）、フロントポーチ（ＦＰ）およびバックポーチ（ＢＰ）の各々が異なるカラーピクセルの対応するライン時間の中で比例して減少する一例を示す。しかしながら、本発明はそれに限定されない。フロントポーチ、バックポーチおよび書込みパルスのうちのいずれか１つは、異なるカラーピクセルの構成および要件に基づいて可変的に減少させることができる。たとえば、ＦＰＲ、ＦＰＧおよびＦＰＢは、異なるカラーピクセルの中の最長所要フロントポーチに対応する等しい値に設定することができ、一方ＷＰＲ、ＷＰＧおよびＷＰＢは異なるカラーピクセルの要件に基づいて異なるように設定することができる。追加または代替として、ＢＰＲ、ＢＰＧおよびＢＰＢは異なるバックポーチ時間に対応するように設定することができるか、または等しいバックポーチ時間に設定することができる。
【００７８】
図１３は、ディスプレイのフレームを書き込むために使用され得るコモン信号についてのタイミング図の一例を示す。図１３に示した例では、従来の駆動方式のように平均ライン時間を維持しながら、異なるカラーピクセルの各々のためのライン時間を減少させることができる。たとえば、赤色のサブピクセルはライン時間ＬＴＲで、緑色のサブピクセルはＬＴＧのライン時間で、青色のサブピクセルはライン時間ＬＴＢで駆動され得る。上述のように、ライン時間ＬＴＲ、ＬＴＧ、ＬＴＢの各々は、対応するフロントポーチ（ＦＰ）と書込みパルス時間（ＷＰ）とバックポーチ（ＢＰ）とを含む。
【００７９】
上記で論じたように、異なるカラーサブピクセルは構造上の差に基づく異なる応答時間に対応し得るため、異なるカラーサブピクセルを駆動するための最小時間量もまた変化する。いくつかの実施態様によれば、ディスプレイの所与の行のためのライン時間の減少は、ディスプレイの葯（anther）行のライン時間の増加を相殺するために使用することができる。
【００８０】
たとえば、図１３を参照すると、緑色のサブピクセルに対応する書込みパルス時間ＷＰＧは、青色のサブピクセルの書込みパルス時間ＷＰＢよりも少ないことがある赤色のサブピクセルの書込みパルス時間ＷＰＲと等しいことがある。加えて、緑色のサブピクセルに対応するバックポーチＢＰＧは、青色のサブピクセルのバックポーチＢＰＢよりも少ないことがある赤色のサブピクセルのバックポーチＢＰＲよりも少ないことがある。
【００８１】
いくつかの実施態様によれば、各々が赤色、緑色および青色のサブ行を有する３８４ピクセル行に対して約１５Ｈｚのリフレッシュ速度周波数に対応するために、従来のフロントポーチは約８μｓに対応し得、従来の書込みパルス時間は約４０μｓに対応し得、従来のバックポーチは約８μｓに対応し得る。これは一般的に許容可能なディスプレイの外観を与え得るが、特に赤色と緑色の行において、まだ作動エラーが存在する。１５Ｈｚのリフレッシュ速度を維持しながら、これらの行における正確な応答を改善するために、図１３に示したフロントポーチ、書込みパルス時間およびバックポーチは以下の表１の最下行に示した値に対応し得る。
【表１】
2014510951.tif 000003
【００８２】
上記の表１に示すように、書込みパルス時間ＷＰＲとＷＰＧは、書込みパルス時間ＷＰＢと従来の書込みパルス時間よりも約４μｓ大きい。書込みパルス時間ＷＰＲとＷＰＧの増加によって、青色のサブピクセルと比較してより遅い応答を示す対応する赤色のサブピクセルと緑色のサブピクセルの改善された応答が可能になる。加えて、赤色のバックポーチＢＰＲと青色のバックポーチＢＰＢは、従来のバックポーチ時間ＢＰＧよりも少ない。バックポーチ時間の差は、異なる色のサブピクセルの構造上の差に基づく誤作動または意図しない開放のリスクを減少させる。各々の特定のカラーサブピクセルに対応するライン時間は異なるが、結果として生じるディスプレイの平均ライン時間（５７μｓ＋６０μＳ＋５１μＳ／３）は、従来の駆動方式の平均ライン時間（５６μｓ＋５６μｓ＋５６μｓ／３）に等しい。結果として、正確な応答を確実にするためにより長いライン時間を必要とするサブピクセルを駆動するためのライン時間の増加は、アレイの他の行のライン時間の減少によって相殺することができる。したがって、ディスプレイの平均ライン時間とリフレッシュ速度とを維持しながら、ディスプレイのパフォーマンスを改善することができる。
【００８３】
当業者であれば、図１２〜１３に示したような波形の差は必ずしも一定の縮尺でなく、より明瞭な描写を示すために拡大され得ることが認識されよう。加えて、波形は正極性を有するコモンラインの書込みパルスに基づいて示されているが、当業者であれば、図５Ｂを参照しながら上記で説明したように、可変の書込み波形は負極性の波形にも対応し得ることが認識されよう。
【００８４】
図１４は、ディスプレイにデータを書き込むプロセスを示す流れ図の一例を示す。図１４に示すように、方法１４００は、ブロック１４０１で、第１のライン時間でディスプレイ要素の第１のセットにデータを書き込むことを含むことができる。たとえば、ディスプレイ要素の第１のセットは、ディスプレイ要素のアレイ中のサブピクセルの行に対応し得る。ブロック１４０２で、本方法は、第１のライン時間と異なる第２のライン時間でディスプレイ要素の第２のセットにデータを書き込むことを含む。たとえば、ディスプレイ要素の第２のセットは、ディスプレイ要素のアレイの第２の行の中にあるサブピクセルに対応し得る。
【００８５】
図１５Ａおよび図１５Ｂは、複数の干渉変調器を含むディスプレイデバイス４０を示すシステムブロック図の例を示している。ディスプレイデバイス４０は、たとえば、セルラー電話または携帯電話であり得る。ただし、ディスプレイデバイス４０の同じ構成要素またはディスプレイデバイス４０の軽微な変形も、テレビジョン、電子リーダーおよびポータブルメディアプレーヤなど、様々なタイプのディスプレイデバイスを示す。
【００８６】
ディスプレイデバイス４０は、ハウジング４１と、ディスプレイ３０と、アンテナ４３と、スピーカー４５と、入力デバイス４８と、マイクロフォン４６とを含む。ハウジング４１は、射出成形および真空成形を含む様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから製作され得る。ハウジング４１は、異なる色の、または異なるロゴ、ピクチャ、もしくはシンボルを含んでいる、他の取外し可能な部分と交換され得る、取外し可能な部分（図示せず）を含むことができる。
【００８７】
ディスプレイ３０は、本明細書で説明する、双安定またはアナログディスプレイを含む様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明する干渉変調器ディスプレイを含むことができる。
【００８８】
ディスプレイデバイス４０の構成要素は図１５Ｂに概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合されたアンテナ４３を含むネットワークインターフェース２７を含む。トランシーバ４７はプロセッサ２１に接続され、プロセッサ２１は調整ハードウェア５２に接続される。調整ハードウェア５２は、信号を調整する（たとえば、信号をフィルタ処理する）ように構成され得る。調整ハードウェア５２は、スピーカー４５およびマイクロフォン４６に接続される。プロセッサ２１は、入力デバイス４８およびドライバコントローラ２９にも接続される。ドライバコントローラ２９は、フレームバッファ２８に、およびアレイドライバ２２に結合され、アレイドライバ２２は次にディスプレイアレイ３０に結合される。電源５０が、特定のディスプレイデバイス４０設計によって必要とされるすべての構成要素に電力を与えることができる。
【００８９】
ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実施態様では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇまたはｎを含むＩＥＥＥ８０２．１１規格に従って、ＲＦ信号を送信および受信する。いくつかの他の実施態様では、アンテナ４３は、ＢＬＵＥＴＯＯＴＨ（登録商標）規格に従ってＲＦ信号を送信および受信する。セルラー電話の場合、アンテナ４３は、３Ｇまたは４Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信のためのグローバルシステム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＳＭ／ジェネラル・パケット・ラジオ・サービス（ＧＰＲＳ：ＧＳＭ／Ｇｅｎｅｒａｌ  Ｐａｃｋｅｔ  Ｒａｄｉｏ  Ｓｅｒｖｉｃｅ）、エンハンスドデータＧＳＭ環境（ＥＤＧＥ：Ｅｎｈａｎｃｅｄ  Ｄａｔａ  ＧＳＭ  Ｅｎｖｉｒｏｎｍｅｎｔ）、テレスティアル・トランクド・ラジオ（ＴＥＴＲＡ：Ｔｅｒｒｅｓｔｒｉａｌ  Ｔｒｕｎｋｅｄ  Ｒａｄｉｏ）、広帯域ＣＤＭＡ（Ｗ−ＣＤＭＡ（登録商標））、エボリューション・データ・オプティマイズド（ＥＶ−ＤＯ：Ｅｖｏｌｕｔｉｏｎ  Ｄａｔａ  Ｏｐｔｉｍｉｚｅｄ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロング・ターム・エボリューション（ＬＴＥ：Ｌｏｎｇ  Ｔｅｒｍ  Ｅｖｏｌｕｔｉｏｎ）、ＡＭＰＳ、または他の知られている信号を受信するように設計される。トランシーバ４７は、アンテナ４３から受信された信号がプロセッサ２１によって受信され、プロセッサ２１によってさらに操作され得るように、その信号を前処理することができる。トランシーバ４７はまた、プロセッサ２１から受信された信号がアンテナ４３を介してディスプレイデバイス４０から送信され得るように、その信号を処理することができる。
【００９０】
いくつかの実施態様では、トランシーバ４７は受信機によって置き換えられ得る。さらに、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理されるフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、飽和、およびグレースケールレベルを含むことができる。
【００９１】
プロセッサ２１は、ディスプレイデバイス４０の動作を制御するためのマイクロコントローラ、ＣＰＵ、または論理ユニットを含むことができる。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【００９２】
ドライバコントローラ２９は、プロセッサ２１によって生成された生画像データをプロセッサ２１から直接、またはフレームバッファ２８から取ることができ、アレイドライバ２２への高速送信のために適宜に生画像データを再フォーマットすることができる。いくつかの実施態様では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実施され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【００９３】
アレイドライバ２２は、ドライバコントローラ２９からフォーマットされた情報を受信することができ、ビデオデータを波形の並列セットに再フォーマットすることができ、波形の並列セットは、ディスプレイのピクセルのｘ−ｙ行列から来る、数百の、および時には数千の（またはより多くの）リード線に毎秒何回も適用される。
【００９４】
いくつかの実施態様では、ドライバコントローラ２９、アレイドライバ２２、およびディスプレイアレイ３０は、本明細書で説明するディスプレイのタイプのうちのいずれにも適している。たとえば、ドライバコントローラ２９は、従来のディスプレイコントローラまたは双安定ディスプレイコントローラ（たとえば、ＩＭＯＤコントローラ）であり得る。さらに、アレイドライバ２２は、従来のドライバまたは双安定ディスプレイドライバ（たとえば、ＩＭＯＤディスプレイドライバ）であり得る。その上、ディスプレイアレイ３０は、従来のディスプレイアレイまたは双安定ディスプレイアレイ（たとえば、ＩＭＯＤのアレイを含むディスプレイ）であり得る。いくつかの実施態様では、ドライバコントローラ２９はアレイドライバ２２と一体化され得る。そのような実施態様は、セルラーフォン、ウォッチおよび他の小面積ディスプレイなどの高集積システムでは一般的である。
【００９５】
いくつかの実施態様では、入力デバイス４８は、たとえば、ユーザがディスプレイデバイス４０の動作を制御することを可能にするように、構成され得る。入力デバイス４８は、ＱＷＥＲＴＹキーボードまたは電話キーパッドなどのキーパッド、ボタン、スイッチ、ロッカー、タッチセンシティブスクリーン、あるいは感圧膜または感熱膜を含むことができる。マイクロフォン４６は、ディスプレイデバイス４０のための入力デバイスとして構成され得る。いくつかの実施態様では、ディスプレイデバイス４０の動作を制御するために、マイクロフォン４６を介したボイスコマンドが使用され得る。
【００９６】
電源５０は、当技術分野でよく知られている様々なエネルギー蓄積デバイスを含むことができる。たとえば、電源５０は、ニッケルカドミウムバッテリーまたはリチウムイオンバッテリーなどの充電式バッテリーであり得る。電源５０はまた、再生可能エネルギー源、キャパシタ、あるいはプラスチック太陽電池または太陽電池塗料を含む太陽電池であり得る。電源５０はまた、壁コンセントから電力を受け取るように構成され得る。
【００９７】
いくつかの実施態様では、制御プログラマビリティがドライバコントローラ２９中に存在し、これは電子ディスプレイシステム中のいくつかの場所に配置され得る。いくつかの他の実施態様では、制御プログラマビリティがアレイドライバ２２中に存在する。上記で説明した最適化は、任意の数のハードウェアおよび／またはソフトウェア構成要素において、ならびに様々な構成において実施され得る。
【００９８】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【００９９】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。いくつかの実施態様では、特定のステップおよび方法が、所与の機能に固有である回路によって実行され得る。
【０１００】
１つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実施され得る。
【０１０１】
ソフトウェアで実施する場合、機能は、１つまたは複数の命令またはコードとしてコンピュータ可読媒体上に記憶するか、あるいはコンピュータ可読媒体を介して送信することができる。本明細書で開示された方法またはアルゴリズムのステップは、コンピュータ可読媒体上に存在し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用されコンピュータによってアクセスされ得る、任意の他の媒体を含み得る。また、いかなる接続もコンピュータ可読媒体と適切に呼ばれ得る。本明細書で使用するディスク（disk）およびディスク（disc）は、コンパクトディスク（ＣＤ）、レーザディスク（登録商標）、光ディスク、デジタル多用途ディスク（ＤＶＤ）、フロッピー（登録商標）ディスクおよびブルーレイディスクを含み、ディスク（disk）は、通常、データを磁気的に再生し、ディスク（disc）は、データをレーザで光学的に再生する。上記の組合せもコンピュータ可読媒体の範囲内に含めるべきである。さらに、方法またはアルゴリズムの動作は、コンピュータプログラム製品に組み込まれ得る、機械可読媒体およびコンピュータ可読媒体上のコードおよび命令の、１つまたは任意の組合せまたはセットとして存在し得る。
【０１０２】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与られるべきである。「例示的」という単語は、本明細書ではもっぱら「例、事例、または例示の働きをすること」を意味するために使用される。本明細書に「例示的」と記載されたいかなる実施態様も、必ずしも他の実施態様よりも好ましいまたは有利であると解釈されるべきではない。さらに、「上側」および「下側」という用語は、図の説明を簡単にするために時々使用され、適切に配向されたページ上の図の配向に対応する相対位置を示すが、実施されたＩＭＯＤの適切な配向を反映しないことがあることを、当業者は容易に諒解されよう。
【０１０３】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１０４】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【図１】
2014510951.tif 000004
【図２】
2014510951.tif 000005
【図３】
2014510951.tif 000006
【図４】
2014510951.tif 000007
【図５Ａ】
2014510951.tif 000008
【図５Ｂ】
2014510951.tif 000009
【図６Ａ】
2014510951.tif 000010
【図６Ｂ】
2014510951.tif 000011
【図６Ｃ】
2014510951.tif 000012
【図６Ｄ】
2014510951.tif 000013
【図６Ｅ】
2014510951.tif 000014
【図７】
2014510951.tif 000015
【図８Ａ】
2014510951.tif 000016
【図８Ｂ】
2014510951.tif 000017
【図８Ｃ】
2014510951.tif 000018
【図８Ｄ】
2014510951.tif 000019
【図８Ｅ】
2014510951.tif 000020
【図９】
2014510951.tif 000021
【図１０】
2014510951.tif 000022
【図１１】
2014510951.tif 000023
【図１２】
2014510951.tif 000024
【図１３】
2014510951.tif 000025
【図１４】
2014510951.tif 000026
【図１５Ａ】
2014510951.tif 000027
【図１５Ｂ】
2014510951.tif 000028
【国際調査報告】
2014510951.tif 000029
2014510951.tif 000030